(57)【要約】【課題】複数周期波形の測定解析表示についてのユーザーの操作性を向上させ、波形表示の解析を容易にすること。【解決手段】  表示制御手段が被測定波形を測定しメモリに格納された波形データに基づきアナログ波形入力信号の全体波形を表示し、第１の拡大表示制御手段が前記全体波形上にフォーカスをあてる部分をズームボックスで表示するとともにそのズームボックス内の波形を同一画面内に拡大表示する第１の拡大表示画面を表示する波形測定装置において、前記第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることを特徴とする。【選択図】図１
2011174801.tif 000002
【特許請求の範囲】
【請求項１】
表示制御手段がメモリに格納された被測定波形の波形データに基づき被測定波形の全体波形を表示し、第１の拡大表示制御手段が前記全体波形上にフォーカスをあてる部分をズームボックスで表示するとともにそのズームボックス内の波形を同一画面内に拡大表示する第１の拡大表示画面を表示する波形測定装置において、
前記第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることを特徴とする波形測定装置。
【請求項２】
前記第２の拡大表示制御手段は、
前記全体波形を基準に前記第１の拡大表示画面よりも高い拡大率で、前記第２の拡大表示画面を拡大表示することを特徴とする請求項１記載の波形測定装置。
【請求項３】
前記第２の拡大表示制御手段は、
前記第１の拡大表示画面上の前記フォーカスの位置が時間軸または振幅方向に移動すると、移動した後にフォーカスされた周期部分を前記第２の拡大表示画面に拡大表示することを特徴とする請求項１または２記載の波形測定装置。
【請求項４】
前記第１の拡大表示制御手段は、
前記全体波形上のフォーカスの位置が時間軸または振幅方向に移動すると、これにあわせて前記第１の拡大表示画面における表示位置を時間軸または振幅方向に移動させ、
前記第２の拡大表示制御手段は、
前記第１の拡大表示画面で拡大表示された波形上にフォーカスをあてる部分をズームボックスで表示するとともにそのズームボックス内の波形を同一画面内にさらに拡大表示することを特徴とする請求項１〜３のいずれかに記載の波形測定装置。
【請求項５】
前記第１の拡大表示画面におけるフォーカスの位置を予め定められた速度で時間軸方向に移動させるとともに、これにあわせて前記第２の拡大表示画面の表示位置を時間軸方向に移動させてフォーカスがあてられた周期部分を拡大表示することを特徴とするオートスクロール手段を備えることを特徴とする請求項１〜４のいずれかに記載の波形測定装置。
【請求項６】
前記オートスクロール手段は、
前記第１の拡大表示画面におけるフォーカスの位置が前記第１の拡大表示画面における時間軸上の予め定められた位置に達したときは、前記全体波形上のフォーカスの位置を時間軸方向に移動するとともにこれにあわせて前記第１の拡大表示画面の表示位置を時間軸方向に移動させ、かつ、前記第１の拡大表示画面におけるフォーカスの位置を前記第１の拡大表示画面の時間軸の予め定められた位置に移動させて再びフォーカスの位置を予め定められた速度で時間軸方向に移動させるオートスクロール手段を備えることを特徴とする請求項５に記載の波形測定装置。
【請求項７】
前記オートスクロール手段は、
前記フォーカスの位置が前記第１の拡大表示画面における時間軸の終端と接する側縁に達したときは、前記全体波形上のフォーカスの位置をフォーカスしていた略時間幅だけ時間軸方向に移動するとともにこれにあわせて前記第１の拡大表示画面の表示位置を拡大表示していた略時間幅だけ時間軸方向に移動させ、かつ、前記第１の拡大表示画面におけるフォーカスの位置を前記第１の拡大表示画面の時間軸の始端が接する側縁に移動させることを特徴とする請求項５または６に記載の波形測定装置。
【発明の詳細な説明】
【技術分野】
【０００１】
本発明は、被測定波形を測定しメモリに格納された波形データに基づきアナログ波形入力信号の全体波形を表示する全体表示画面と、全体波形上にフォーカスをあてる部分をズームボックスで表示するとともにそのズームボックス内の波形を同一画面内に拡大表示する第１の拡大表示画面を表示する波形測定装置に関し、特に複数周期波形の測定解析表示についてのユーザーの操作性を向上させ、波形表示の解析を容易にするための改善を施した波形測定装置に関するものである。
【背景技術】
【０００２】
図５は従来のデジタルオシロスコープなどの波形測定装置の一例を示す構成図である。図５において、入力端子１にサンプル時間ごとに外部から入力されるアナログ波形入力信号は、Ａ／Ｄ（アナログデジタル）変換手段２でデジタル信号に変換され、測定データとして順次メモリ３に格納される。
【０００３】
ＣＰＵ（Central Processing Unit）４は、メモリ３に格納された測定データを読み出して波形表示画面データを生成し、生成した波形表示画面データをＬＣＤ（Liquid Crystal Display）などの表示手段５に出力して波形を表示する。
【０００４】
また、ＣＰＵ４は、メモリ３から読み出した測定データに基づいて、測定電圧値を物理値に変換して直読できるようにするためのリニアスケーリング演算や、最大値や最小値や立ち上がり時間や立下り時間や周波数などの波形パラメータ自動測定処理なども行う。
【０００５】
表示手段５は、たとえば、波形表示画面のメイン波形表示エリアに、横軸方向は時間、縦軸方向にはアナログデジタル変換されたデータとして、メモリに格納されたデータを波形表示する。
【０００６】
操作手段６は、波形表示画面に表示を所望するチャンネルの波形、表示を要求する時間帯が入力される。ＣＰＵ４が操作手段６に入力された要求（設定された値）に応じてメモリ３に格納された測定データを読み出して波形表示画面データを生成する。
【０００７】
このとき、表示手段５は、物理的な制約を一因として、サンプリングにより取得をしたアナログ波形入力信号の全てを横軸方向に表示（点表示）することは不可能なため、波形表示画面のメイン波形表示エリアには、サンプリングにより取得をしたアナログ波形入力信号に基づく波形データを特定のアルゴリズムに従い、圧縮した型で表示を行う。
【０００８】
しかし、このままでは実際にサンプリングにより取得をした波形データを解析することが難しいので、表示手段５は、メイン波形表示エリアとは別に時間軸方向に設定した範囲で波形表示を拡大表示するための複数のズーム波形表示エリアを表示する。
【０００９】
図６は、図５の表示手段５が表示する波形表示画面であり、（Ａ）が波形表示画面の全体概要、（Ｂ）が表示画面の概念説明図である。
図６に示すように、表示手段５は、モニタなどに図６のメイン波形表示エリアＶＡ１００と、時間軸方向に設定した範囲で波形表示を拡大表示するための複数のズーム波形表示エリアＶＡ１０１、ＶＡ１０２とを表示する。
【００１０】
従来から波形測定装置で表示される波形表示画面では、一般的にメイン波形表示エリアＶＡ１００を横軸方向に１０等分し、１０等分された１つの長さを１ｄｉｖという。
全体の中心を０．００ｄｉｖのポジション（位置）という。
【００１１】
ＣＰＵ４は表示手段５に、図６（Ｂ）のようにメイン波形表示エリアＶＡ１００における左端（時間軸では一番古いデータ）を−５．００ｄｉｖのポジション、右端（一番最新データ）を＋５．００ｄｉｖのポジションとして波形表示を行う。
【００１２】
ここで、ＣＰＵ４は、例えば測定時間を１ｄｉｖ＝１ｓ（秒）（記録時間としては１０ｓ）に設定し、記録メモリ長が１０ＭＢ（megabyte）の場合は、サンプルレートを１Ｍ／ｓ(megabyte per second)として外部からのアナログ波形入力信号を受信し、Ａ／Ｄ変換したデジタル信号を測定データとしてメモリ３に記憶する。
【００１３】
なおＣＰＵ４は、測定時間の設定や記録メモリ長等の様々な値、設定値を設定変更できる。たとえばＣＰＵ４は、測定時間を１００ｎｓ（ナノ秒）／ｄｉｖ〜３ｄａｙ（日）／ｄｉｖの範囲で設定変更可能であり、リニアな値ではなく１００ｍｓ（ミリ秒）、２００ｍｓ、５００ｍｓ、１ｓ（秒）、２ｓといったような決められた値から選択する。
【００１４】
表示手段５は、図６（Ｂ）のようにズーム波形表示エリアＶＡ１０１で表示する波形データのポジションを、メイン波形表示エリアＶＡ１００のポジション（−５．００ｄｉｖ〜＋５．００ｄｉｖの範囲）で指定を行い、その設定されたポジションを中心にして、メイン波形表示エリアＶＡ１００と同じくエリアを１０分割して表示を行う。
【００１５】
また表示手段５は、図６（Ｂ）のようにズーム波形表示エリアＶＡ１０１、ＶＡ１０２の設定として、ズーム波形表示エリアＶＡ１０１側でのズーム率を１ｄｉｖ＝１００ｍｓに設定（この場合倍率では１０倍に拡大したことになる）し、ズームする位置の設定（メイン波形側のポジションを基準にする）を０．００ｄｉｖとして波形表示を行なう。
なお表示手段５はズームする位置の設定には、メイン波形表示エリアＶＡ１００上にフォーカスをあてることでズームする位置を決定する。
このようにして、表示手段５は、ズーム波形表示エリアＶＡ１０１側では、−０．５０ｄｉｖから＋０．５０ｄｉｖの範囲で表示することが可能となる。
【００１６】
さらに表示手段５は、ズーム波形表示エリアＶＡ１０２側でのズーム率を１ｄｉｖ＝１０ｍｓに設定（この場合倍率では１００倍に拡大したことになる）し、ズームする位置の設定（メイン波形側のポジションを基準にする）を＋２．００ｄｉｖとして波形表示を行なう。
この場合も、表示手段５はズームする位置の設定には、メイン波形表示エリアＶＡ１００上にフォーカスをあてることでズームする位置を決定する。
このようにして、表示手段５は、ズーム波形表示エリアＶＡ１０２側では、＋１．９５ｄｉｖから＋２．０５ｄｉｖの範囲で表示することが可能となる。
【００１７】
この結果、従来の波形測定装置では、メイン波形表示エリアとは別に時間軸方向に設定した範囲で波形表示を拡大表示するための２個のズーム波形表示エリアを表示することにより、取得した波形データをユーザーに見やすく表示でき、２つの箇所を同時に比較解析できるため、波形表示の観測および解析に貢献していた。
【００１８】
このような波形測定装置に関連する先行技術文献として下記の特許文献１がある。
【先行技術文献】
【特許文献】
【００１９】
【特許文献１】特開２００２−２６７５０８号公報
【発明の概要】
【発明が解決しようとする課題】
【００２０】
しかしながら、従来の波形測定装置では、高いサンプリングレートによる長時間記録が要求されている中、大容量のメモリに大量データを記憶しているので、ズーム波形表示エリアＶＡ１０１、ＶＡ１０２に表示される波形データであっても、ズーム率の設定によって大まかなイメージとしての表示となってしまうという問題点があった。
【００２１】
詳しくは、近年では、波形測定装置は高いサンプリングレートによる長時間記録が要求されており、メモリ３のメモリサイズが大きくなっている。
たとえば従来ではメモリサイズは、１２８Ｍ（mega）点の測定データを記録できるものが標準であったものが、４Ｇ(giga)点の測定データを記録できるものとなっている。この場合、従来のものより記録時間が３２倍長くなる。
これにより、ズーム波形表示エリアＶＡ１０１、ＶＡ１０２に表示される波形データであっても、ズーム率の設定によって大まかなイメージとしての表示となってしまうという問題点があった。
【００２２】
また、メイン波形表示エリアＶＡ１００に表示される波形データにおいて、さらに詳細な波形データを見たい場合には、例えばズーム波形表示エリアＶＡ１０２で拡大表示する位置を示すズームボックスをズーム波形表示エリアＶＡ１０１で拡大表示する位置を示すズームボックスに重ねて設定をすることで表示が可能となるが、この設定自体はもともとメイン波形表示エリアＶＡ１００に対するものであるので、ズーム率およびズーム位置の設定の方法によっては、ズーム位置がずれてしまい、適切な位置における拡大表示（ズーム）ができないという問題点があった。
【００２３】
具体的には、従来の波形測定装置は、メモリが大量のデータを記憶している場合であれば、メイン波形表示エリアＶＡ１００にあてるズーム波形表示エリアＶＡ１０１用のフォーカスおよびズーム波形表示エリアＶＡ１０２用のフォーカスの位置のわずかなずれが、ズーム波形表示エリアＶＡ１０１、ＶＡ１０２では大きなずれとなってしまい、適切な位置におけるズームができなくなってしまうという問題点があった。
【００２４】
さらに、従来の波形測定装置は、ＣＰＵ４がズーム波形表示エリアＶＡ１０１およびＶＡ１０２において波形表示を拡大表示するにあたり、各ズーム波形表示エリアにおけるズーム率の設定は自由度が高いので、ユーザーによる設定の入力によっては、ズーム率が逆転することもあって注意しながら設定を行う必要があり、作業に緻密性が求められ、また作業が煩雑になってしまうという問題点があった。この場合、ユーザーが所望する位置の波形の拡大表示が迅速に表示できないという問題点もあった。
【００２５】
本発明は上述の問題点を解決するものであり、その目的は、複数周期波形の測定解析表示についてのユーザーの操作性を向上させ、波形表示の解析を容易にすることを目的とする。
【課題を解決するための手段】
【００２６】
このような課題を解決するために、本発明のうち請求項１記載の発明は、
表示制御手段が被測定波形を測定しメモリに格納された波形データに基づきアナログ波形入力信号の全体波形を表示し、第１の拡大表示制御手段が前記全体波形上にフォーカスをあてる部分をズームボックスで表示するとともにそのズームボックス内の波形を同一画面内に拡大表示する第１の拡大表示画面を表示する波形測定装置において、
前記第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることを特徴とする波形測定装置である。
【００２７】
請求項２記載の発明は、請求項１記載の波形測定装置において、
前記第２の拡大表示制御手段は、
前記全体波形を基準に前記第１の拡大表示画面よりも高い拡大率で、前記第２の拡大表示画面を拡大表示することを特徴とする。
【００２８】
請求項３記載の発明は、請求項１または２記載の波形測定装置において、
前記第２の拡大表示制御手段は、
前記第１の拡大表示画面上の前記フォーカスの位置が時間軸または振幅方向に移動すると、移動した後にフォーカスされた周期部分を前記第２の拡大表示画面に拡大表示することを特徴とする。
【００２９】
請求項４記載の発明は、請求項１〜３記載のいずれかに記載の波形測定装置において、
前記第１の拡大表示制御手段は、
前記全体波形上のフォーカスの位置が時間軸または振幅方向に移動すると、これにあわせて前記第１の拡大表示画面における表示位置を時間軸または振幅方向に移動させ、
前記第２の拡大表示制御手段は、
前記第１の拡大表示画面で拡大表示された波形上にフォーカスをあてる部分をズームボックスで表示するとともにそのズームボックス内の波形を同一画面内にさらに拡大表示することを特徴とする。
【００３０】
請求項５記載の発明は、請求項１〜４記載のいずれかに記載の波形測定装置において、
前記第１の拡大表示画面におけるフォーカスの位置を予め定められた速度で時間軸方向に移動させるとともに、これにあわせて前記第２の拡大表示画面の表示位置を時間軸方向に移動させてフォーカスがあてられた周期部分を拡大表示することを特徴とするオートスクロール手段を備えることを特徴とする。
【００３１】
請求項６記載の発明は、請求項５に記載の波形測定装置において、
前記オートスクロール手段は、
前記第１の拡大表示画面におけるフォーカスの位置が前記第１の拡大表示画面における時間軸上の予め定められた位置に達したときは、前記全体波形上のフォーカスの位置を時間軸方向に移動するとともにこれにあわせて前記第１の拡大表示画面の表示位置を時間軸方向に移動させ、かつ、前記第１の拡大表示画面におけるフォーカスの位置を前記第１の拡大表示画面の時間軸の予め定められた位置に移動させて再びフォーカスの位置を予め定められた速度で時間軸方向に移動させるオートスクロール手段を備えることを特徴とする。
【００３２】
請求項７記載の発明は、請求項５または６に記載の波形測定装置において、
前記オートスクロール手段は、
前記フォーカスの位置が前記第１の拡大表示画面における時間軸の終端と接する側縁に達したときは、前記全体波形上のフォーカスの位置をフォーカスしていた略時間幅だけ時間軸方向に移動するとともにこれにあわせて前記第１の拡大表示画面の表示位置を拡大表示していた略時間幅だけ時間軸方向に移動させ、かつ、前記第１の拡大表示画面におけるフォーカスの位置を前記第１の拡大表示画面の時間軸の始端が接する側縁に移動させることを特徴とする。
【発明の効果】
【００３３】
本発明であれば、第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることにより、複数周期波形の測定解析表示についてのユーザーの操作性を向上させ、波形表示の解析を容易にすることができる。
つまり、本発明であれば、第２の拡大表示制御手段が第１の拡大表示画面で拡大表示された波形上においてさらに拡大表示したい周期部分等を指定する（言い換えれば、ズーム表示を行ったものに対してさらにズーム表示ができるようにする機能（ズーム・イン・ズーム機能）を有する）ことにより、従来技術で問題となっていたメイン波形表示画面で表示された波形上で指定することによる「ズーム位置のずれ」を回避することができ、適切な位置におけるズームができる点で有効である。
【００３４】
また、本発明であれば、第２の拡大表示制御手段が、全体波形を基準に第１の拡大表示画面よりも高い拡大率で、第２の拡大表示画面を拡大表示することにより、複数周期波形の測定解析表示についてのユーザーの操作性を向上させ、波形表示の解析を容易にすることができる。さらに、本発明は、従来技術のようにズーム率が逆転することもなく、作業に緻密性や作業が煩雑になることもなくなる点で有効である。
【００３５】
また本発明であれば、第２の拡大表示制御手段が、第１の拡大表示画面上のフォーカスの位置（ズームの位置）が時間軸または振幅方向に移動すると、移動した後にフォーカスされた周期部分を第２の拡大表示画面に拡大表示する（言い換えれば「親」画面（第１の拡大表示画面）におけるズーム表示の位置が変更された場合、それに合わせて「子」画面（第２の拡大表示画面）となるズーム表示の表示位置も変更される機能を有する）ことにより、ユーザーによる波形解析における操作をより簡単に行うことが可能となる。
【００３６】
また本発明であれば、第１の拡大表示制御手段は、全体波形上のフォーカスの位置が時間軸または振幅方向に移動すると、これにあわせて第１の拡大表示画面における表示位置を時間軸または振幅方向に移動させ、第２の拡大表示制御手段は、第１の拡大表示画面で拡大表示された波形上にフォーカスをあてる部分をズームボックスで表示するとともにそのズームボックス内の波形を同一画面内にさらに拡大表示することにより、ユーザーによる波形解析における操作をより簡単に行うことが可能となる。
【００３７】
また本発明であれば、オートスクロール手段が、第１の拡大表示画面におけるフォーカスの位置を予め定められた速度で時間軸方向に移動させ、このフォーカスの位置が第１の拡大表示画面における時間軸上の予め定められた位置に達したときは、全体波形上のフォーカスの位置を時間軸方向に移動するとともにこれにあわせて第１の拡大表示画面の表示位置を時間軸方向に移動させ、かつ、第１の拡大表示画面におけるフォーカスの位置を第１の拡大表示画面の時間軸の予め定められた位置に移動させて再びフォーカスの位置を予め定められた速度で時間軸方向に移動させることにより、複数周期波形の測定解析表示についてのユーザーの操作性を向上させ、波形表示の解析を容易にすることができる。
すなわち本発明であれば、オートスクロール手段が、表示機能を使用中にオートスクロールを行った場合、「子」画面（第１の拡大表示画面または第２の拡大表示画面）におけるズーム表示位置と「親」画面（全体表示画面または第１の拡大表示画面）における表示位置とが連携して表示することにより、複数周期波形の測定解析表示についてのユーザーの操作性を向上させ、波形表示の解析を容易にすることができる。
【図面の簡単な説明】
【００３８】
【図１】本発明に係る波形測定装置の一実施例を示す構成図である。
【図２】図１の表示手段が表示する表示画面の一例である。
【図３】本発明に係る波形測定装置の動作フロー図である。
【図４】本発明の波形測定装置のオートスクロール手段による動作説明図である。
【図５】従来の波形測定装置の一例を示す構成図である。
【図６】図５の表示手段５が表示する波形表示画面である。
【発明を実施するための形態】
【００３９】
本発明に係る波形測定装置は、第１の拡大表示画面で拡大表示された波形上にフォーカスをあてる部分をズームボックスで表示するとともにそのズームボックス内の波形を同一画面内に拡大表示する第２の拡大表示画面を表示する拡大表示制御手段を備えたことにより、複数周期波形の測定解析表示についてのユーザーの操作性を向上させ、波形表示の解析を容易にすることを図るものである。
【００４０】
具体的には、本発明に係る波形測定装置は、表示手段がメイン波形表示ウィンドウで全体を表示し、ズーム波形表示エリアＶＡ１０１で中程度に拡大した波形表示を表示し、拡大表示制御手段がズーム波形表示エリアＶＡ１０２でさらに拡大した波形の表示を行って、これら２つのズーム波形表示エリアＶＡ１０１、ＶＡ１０２を連携させて動作させることにより、ユーザーの操作の手間や解析を容易にすることを図る。
【００４１】
＜第１の実施例＞
（構成の説明、および、主な構成要素の接続・配置関係の説明）
図１は、本発明に係る波形測定装置の一実施例を示す構成図、図２は図１の表示手段が表示する表示画面の一例であり、図１は図５と共通する部分には同一の符号を付けて適宜説明を省略する。図２の（Ａ）が波形表示画面の全体概要、（Ｂ）が表示画面の概念説明図である。
【００４２】
図１と図５との相違点は、主に第１の拡大表示画面（図１中のズーム波形表示エリアＶＡ２０１）で拡大表示された波形上にフォーカスをあてる部分をズームボックスで表示するとともにそのズームボックス内の波形（周期部分）を同一画面内に拡大表示する第２の拡大表示画面（図１中のズーム波形表示エリアＶＡ２０２）を表示する拡大表示制御手段を備える点が相違する。
端的にいえば、フォーカスの対象が従来技術はメイン波形表示エリアであるのに対し、本発明ではズーム波形表示エリアである点で相違する。
【００４３】
すなわち、本発明は、２つあるズーム波形表示エリアのうち１つ（この場合のズーム波形表示エリアＶＡ１０２）を操作の対象としてメイン波形表示エリアＶＡ１００ではなくズーム波形表示エリアＶＡ１０１とするようなズーム・イン・ズーム機能を有している点で特徴的であり、複数周期波形の測定解析表示についてのユーザーの操作性を向上させ、波形表示の解析を容易にすることができる。
【００４４】
図１において、本発明の波形測定装置１００は、主に、入力端子１と、Ａ／Ｄ（アナログデジタル）変換手段２と、メモリ３と、ＬＣＤ（Liquid Crystal Display）などの表示手段５と、操作手段６と、演算制御部７とから構成される。
【００４５】
具体的には、入力端子１には、サンプル時間ごとに外部からアナログ波形入力信号が入力される。Ａ／Ｄ変換手段２は、入力端子１に入力したアナログ波形入力信号をデジタル信号に変換する。
【００４６】
メモリ３は、記憶手段の一例であって、Ａ／Ｄ（アナログデジタル）変換手段２により変換されたデジタル信号を測定データとして記憶する。
またメモリ３は、ハードディスク、ＲＡＭ（Random Access Memory）やＲＯＭ（Read Only Memory）などであり、測定データ、波形測定装置１００として動作するためのプログラムやアプリケーションなどを記憶する。
【００４７】
表示手段５は、演算制御部７によって制御されモニタなどにメモリ３に記憶された測定データに基づいた波形表示画面を表示する。
【００４８】
操作手段６には、ユーザーからの波形表示画面に表示を所望するチャンネルの波形、表示を要求する時間帯が入力される。
操作手段６は、たとえば、例えば、装置前面に設けられる制御パネル、タッチパネル、ボタン、ロータリーノブ等であり、表示部４０に表示される画像データの選択をする。
また操作手段６は、マウスなどでもよく、表示手段５によりカーソルとして表示され、全体画面で表示される全体波形のうち拡大表示をする周期部分、第１の拡大表示画面で拡大表示された波形のうち拡大表示をする周期部分のフォーカスの位置（ズームの位置）とが入力され、たとえばズームボックスとして表示手段５により表示される。
【００４９】
演算制御部７は、ＣＰＵ（Central Processing Unit）などであって、操作手段６に入力された要求（設定された値）に応じてメモリ３に格納された測定データを読み出して波形表示画面データを生成し、表示手段５に波形表示するとから構成される。
演算制御手段７は、各手段を制御し、メモリ３に記憶されている測定データ（波形データ）に基づきアナログ信号を波形描画した表示画面を表示させる。
【００５０】
なお演算制御手段７は、メモリ３に格納されているＯＳなどを起動して、このＯＳ上で格納されたプログラムを読み出し実行することにより各手段または機器全体を制御し、波形測定装置１００固有の動作を行う。このときメモリ３、演算制御手段７によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
また、上述の各手段は、演算制御手段７がメモリ３に格納されているＯＳなどを起動して、このＯＳ上で格納されたプログラムやアプリケーションを読み出し実行することにより制御されるものでもよい。
【００５１】
また演算制御部７は、主に表示制御手段７１と、第１の拡大表示制御手段７２と、第２の拡大表示制御手段７３の機能ブロックを有する。これらの各手段はバスにより相互に接続されるようなそれぞれ独立した機器から構成されるものであってもよい。
【００５２】
表示制御手段７１は、被測定波形を測定しメモリ３に格納された測定データ（波形データ）に基づきアナログ波形入力信号の全体波形を表示する。
第１の拡大表示制御手段７２は、表示手段５を制御して全体波形上にフォーカスをあてる部分をズームボックスで表示するとともにそのズームボックス内の波形（周期部分）を同一画面内に拡大表示する第１の拡大表示画面を表示する。
第２の拡大表示制御手段７３は、表示手段５を制御して第１の拡大表示画面にフォーカスをあてる部分をズームボックスで表示するとともにそのズームボックス内の波形（周期部分）を同一画面内にさらに拡大表示する第２の拡大表示画面を表示する。
【００５３】
たとえば、図２に示すように、表示制御手段７１は、被測定波形を測定しメモリ３に格納された測定データ（波形データ）に基づきアナログ波形入力信号の全体波形をメイン波形表示エリア（全体表示画面）ＶＡ２００に表示する。
【００５４】
また、第１の拡大表示制御手段７２は、全体波形上にフォーカスをあてる部分をズームボックスで表示するとともにそのズームボックス内の波形を、メモリ３に格納された測定データ（波形データ）に基づき、同一画面内のズーム波形表示エリアＶＡ２０１（第１の拡大表示画面）に拡大表示する。
【００５５】
また、第２の拡大表示制御手段７３は、ズーム波形表示エリアＶＡ２０１（第１の拡大表示画面）にフォーカスをあてる部分をズームボックスで表示するとともにそのズームボックス内の波形を、メモリ３に格納された測定データ（波形データ）に基づき、同一画面内のズーム波形表示エリアＶＡ２０２（第２の拡大表示画面）に拡大表示する。
【００５６】
（動作説明）
このような構成で図１の波形測定装置は、たとえば、以下のような動作を行なう。図３は本発明に係る波形測定装置の動作フロー図である。
【００５７】
ステップＳＰ１０１において、操作手段６は、ユーザー（オペレータ）からの波形表示画面に表示を所望するチャンネルの波形、表示を要求する時間帯などの表示リクエスト情報が入力される。
【００５８】
ステップＳＰ１０２において、表示制御手段７１は、操作手段６を介して入力された表示リクエスト情報およびメモリ３に格納された測定データ（波形データ）に基づいて、アナログ波形入力信号の全体波形をメイン波形表示エリア（全体表示画面）ＶＡ２００に表示する。
【００５９】
たとえば、表示制御手段７１は、図２（Ｂ）に示すように、１ｄｉｖ＝１ｓ（メモリ長が１０Ｍの場合は１Ｍ／ｓ）で、左端（時間軸では一番古いデータ）を−５．００ｄｉｖのポジション、右端（一番最新データ）を＋５．００ｄｉｖのポジションとして全体波形を表すメイン波形表示エリア（全体表示画面）ＶＡ２００を表示する。
【００６０】
ここで、演算制御手段７は、例えば測定時間を１ｄｉｖ＝１ｓ（秒）（記録時間としては１０ｓ）に設定し、記録メモリ長が１０ＭＢ（megabyte）の場合は、サンプルレートを１Ｍ／ｓ(megabyte per second)として外部からのアナログ波形入力信号を受信し、Ａ／Ｄ変換したデジタル信号を測定データとしてメモリ３に記憶する。
【００６１】
ステップＳＰ１０３において、操作手段６は、ユーザー（オペレータ）からの、メイン波形表示エリア（全体表示画面）ＶＡ２００に表示された全体波形のうち拡大表示をする周期部分のフォーカスの位置（ズームの位置）が入力される。
【００６２】
このとき、操作手段６が設定できるメイン波形表示エリアＶＡ２０２におけるズーム位置の範囲は−５．００ｄｉｖから＋５．００ｄｉｖまでとなる。
【００６３】
ステップＳＰ１０４において、第１の拡大表示制御手段７２は、表示手段５を制御して全体波形上にフォーカスをあてる部分をズームボックスで表示するとともにそのズームボックス内の波形を同一画面内に拡大表示する第１の拡大表示画面を表示する。また、第１の拡大表示制御手段７２は、ズーム表示を行うときにより解析を手助けする手段として、メイン波形表示エリアＶＡ２００にズーム波形表示エリアＶＡ２０１がどの範囲を表示しているかを示すズームボックス（たとえば形状が四角で表される）をメイン波形表示エリアＶＡ２００上に表示する。
【００６４】
たとえば、第１の拡大表示制御手段７２は、図２（Ｂ）に示すように、ズーム率を１ｄｉｖ＝１００ｍｓ、ズームポジション（拡大表示後のポジション）を＋０．００ｄｉｖに設定し、左端（時間軸では一番古いデータ）を−０．５０ｄｉｖのポジション、右端（一番最新データ）を＋０．５０ｄｉｖのポジションとしてメイン波形表示エリア（全体表示画面）ＶＡ２００にてフォーカスがあたっている周期部分をズーム波形表示エリアＶＡ２０１（第１の拡大表示画面）に拡大表示する。
また第１の拡大表示制御手段７２は、ズーム表示を行うときにより解析を手助けする手段として、メイン波形表示エリアＶＡ２００にズーム波形表示エリアＶＡ２０１がどの範囲を表示しているかを示すズームボックスをメイン波形表示エリアＶＡ２００上に表示する。
【００６５】
ステップＳＰ１０５において、操作手段６は、ユーザー（オペレータ）からの、ズーム波形表示エリア（第１の拡大表示画面）ＶＡ２０１に表示された拡大表示された波形のうち拡大表示をする周期部分のフォーカスの位置（ズームの位置）が入力される。
【００６６】
ここで、操作手段６が設定できるフォーカスの位置（ズームの位置）の設定範囲は、第１の拡大表示制御手段７２側がズーム波形表示エリアＶＡ２０１で表示可能なポジションである−０．５０ｄｉｖ〜＋０．５０ｄｉｖの範囲となる。
【００６７】
ステップＳＰ１０６において、第２の拡大表示制御手段７３は、表示手段５を制御してズーム波形表示エリアＶＡ２０１（第１の拡大表示画面）にフォーカスをあてる部分をズームボックスで表示するとともにそのズームボックス内の波形を、メモリ３に格納された測定データ（波形データ）に基づき、同一画面内のズーム波形表示エリアＶＡ２０２（第２の拡大表示画面）に拡大表示する。
第２の拡大表示制御手段７３は、ズーム表示を行うときにより解析を手助けする手段として、ズーム波形表示エリアＶＡ２０１にズーム波形表示エリアＶＡ２０２がどの範囲を表示しているかを示すズームボックスをズーム波形表示エリアＶＡ２０１上に表示する。
【００６８】
たとえば、第２の拡大表示制御手段７３は、図２（Ｂ）に示すように、ズーム率を１ｄｉｖ＝１０ｍｓ、ズームポジションを＋０．２０ｄｉｖに設定し、左端（時間軸では一番古いデータ）を＋０．１５ｄｉｖのポジション、右端（一番最新データ）を＋０．２５ｄｉｖのポジションとしてメイン波形表示エリア（全体表示画面）ＶＡ２００にてフォーカスがあたっている周期部分をズーム波形表示エリアＶＡ２０１（第１の拡大表示画面）に拡大表示する。
また第２の拡大表示制御手段７３は、ズーム波形表示エリアＶＡ２０１にズーム波形表示エリアＶＡ２０２がどの範囲を表示しているかを示すズームボックスをズーム波形表示エリアＶＡ２０１上に表示する。
【００６９】
つまり、第２の拡大表示制御手段７３は、ズーム波形表示エリアＶＡ２０２側でのズーム率を１ｄｉｖ＝１０ｍｓに設定する場合、倍率では１００倍に拡大したことになり、ズーム波形表示エリアＶＡ２０２では、＋０．１５ｄｉｖ〜＋０．２５ｄｉの範囲で表示する。いいかえれば、第２の拡大表示制御手段７３は、全体波形を基準に第１の拡大表示制御手段７２によるズーム波形表示エリアＶＡ２０１の拡大表示に係る拡大率よりも高い拡大率で、ズーム波形表示エリアＶＡ２０２を拡大表示する。
【００７０】
また、本発明に係る波形測定装置は、制御パネルなどの操作手段６に入力された各パラメータの設定値（設定情報）に基づき、演算制御部７が表示手段５を制御して波形表示することによりズーム波形表示による波形解析を行う。
【００７１】
このように、本発明に係る波形測定装置は、第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることにより、複数周期波形の測定解析表示についてのユーザーの操作性を向上させ、波形表示の解析を容易にすることができる。
【００７２】
なお、ズーム波形表示エリアＶＡ２０１とＶＡ２０２における「ズーム位置」と「表示範囲」の関係は以下の式のように表される。
【００７３】
ズーム位置の関係は以下の（１）、（２）のような不等式で表すことができる関係になり、ズーム２におけるズーム位置は、ズーム１の表示範囲と同じとなる。
（なお、ここではズーム波形表示エリアＶＡ２０１をズーム１、ズーム波形表示エリアＶＡ２０２をズーム２という。）
（１）ズーム１のズーム位置
-5.00div  ＜＝  ズーム１側のズーム位置  ＜＝  +5.00div
（２）ズーム２のズーム位置
現在設定中のズーム１側のズーム位置＋（-5.00／ズーム１のズーム倍率）
＜＝  ズーム２側のズーム位置  ＜＝  
現在設定中のズーム１側のズーム位置＋（+5.00／ズーム１のズーム倍率）
【００７４】
表示範囲の関係は以下の（３）、（４）の不等式で表すことができる関係になる。
ここで、ズーム倍率＝測定時間／ズーム率である。たとえば、測定時間１ｓ／ｄｉｖでズーム１のズーム率が１００ｍｓ／ｄｉｖならズーム倍率は１０倍、ズーム２のズーム率が１０ｍｓ／ｄｉｖならズーム倍率としては１００倍となる。
（３）ズーム１の表示範囲
現在設定中のズーム１側のズーム位置＋（-5.00／ズーム１のズーム倍率）
＜＝  ズーム１の表示範囲  ＜＝  
現在設定中のズーム１側のズーム位置＋（+5.00／ズーム１のズーム倍率）
（４）ズーム２の表示範囲
現在設定中のズーム２側のズーム位置＋（-5.00／ズーム２のズーム倍率）
＜＝  ズーム２の表示範囲  ＜＝  
現在設定中のズーム２側のズーム位置＋（+5.00／ズーム２のズーム倍率）
【００７５】
またズーム率の設定では以下のような不等式の関係となるように設定する必要がある。
メイン側の測定時間（t/div）  ＞  ズーム１側のズーム率  ＞  ズーム２側のズーム率
【００７６】
この結果、本発明に係る波形測定装置は、第１の拡大表示画面で拡大表示された波形上にフォーカスをあてる部分をズームボックスで表示するとともにそのズームボックス内の波形を同一画面内にさらに拡大表示する第２の拡大表示画面を表示する第２の拡大表示制御手段を備えることにより、複数周期波形の測定解析表示についてのユーザーの操作性を向上させ、波形表示の解析を容易にすることができる。
つまり、本発明は、第２の拡大表示制御手段が第１の拡大表示画面で拡大表示された波形上においてさらに拡大表示したい周期部分等を指定する（言い換えれば、ズーム表示を行ったものに対してさらにズーム表示ができるようにする機能（ズーム・イン・ズーム機能）を有する）ことにより、従来技術で問題となっていたメイン波形表示画面で表示された波形上で指定することによる「ズーム位置のずれ」を回避することができ、適切な位置におけるズームができる点で有効である。
【００７７】
詳しくは、ズームボックスの大きさは（幅）は、従来技術であると、ズーム波形表示エリアＶＡ２０１またはＶＡ２０２のズーム倍率に依存するため、例えばズーム倍率が１０倍程度あればメイン波形表示エリアＶＡ２００の１０分の１の大きさとなる。
ただし、これがズーム倍率を大きく（例えば１００倍、１０００倍）設定した場合ズームボックス自体が「線」としての表現になってしまい、この点、従来技術ではメイン波形表示エリアＶＡ２００のみにズームボックスを２個重ねて拡大の上にさらに拡大を行なっていたため、操作上困難であった。すなわち、ズーム倍率が大きい場合に制御パネルなどの操作手段６でズーム位置の変更を行うとした場合、必要な位置に変更する操作を行っても操作上難しいという問題点があった。
【００７８】
この問題点に対して、本発明に係る波形測定装置は、第２の拡大表示制御手段が第１の拡大表示画面で拡大表示された波形上において、さらに拡大表示したい周期部分等を指定する、いいかえれば、ズーム・イン・ズームの機能を使用することにより、ズームボックスをズーム波形表示エリアＶＡ２０１にも表示することで、ズーム波形表示エリアＶＡ２０２のズーム率がメイン波形表示エリアＶＡ２００に対しては１００倍であったとしてもズーム波形表示エリアＶＡ２０１に対しては１０倍となるためズームボックスの表示は分かりやすくなる。またズーム位置を変更する操作に対しても操作手段６への操作が簡単となり、「ズーム位置のずれ」を回避することができ、適切な位置におけるズームができる点で有効である。
【００７９】
また、本発明に係る波形測定装置は、第２の拡大表示制御手段が、全体波形を基準に第１の拡大表示画面よりも高い拡大率で、第２の拡大表示画面を拡大表示することにより、複数周期波形の測定解析表示についてのユーザーの操作性を向上させ、波形表示の解析を容易にすることができる。さらに、本発明は、従来技術のようにズーム率が逆転することもなく、作業に緻密性や作業が煩雑になることもなくなる点で有効である。
【００８０】
＜第２の実施例＞
なお、本発明に係る波形測定装置は、上述の＜第１の実施例＞の構成、機能に加えて、第２の拡大表示制御手段が、第１の拡大表示画面上のフォーカスの位置（ズームの位置）が時間軸または振幅方向に移動すると、移動した後にフォーカスされた周期部分を第２の拡大表示画面に拡大表示するものであってもよい。
具体的には、第２の拡大表示制御手段７３は、操作手段６を介して入力された操作情報に基づいてズーム波形表示エリアＶＡ２０１のズームの位置が変更されると、ズーム波形表示エリアＶＡ２０２の拡大表示しているズーム位置も同時にズーム波形表示エリアＶＡ２０１の移動量と同じだけ変更して表示するものでもよい。すなわち、本発明に係る波形測定装置は、第２の拡大表示制御手段７３が、第１の拡大表示画面上のズームボックスが移動すると共に自動的にズーム波形表示エリアを更新して表示するような仕組みを実現する。このような連携をさせることにより、ユーザーによる波形解析における操作をより簡単に行うことが可能となる。
【００８１】
すなわちズーム・イン・ズーム機能を実現するにあたりズーム波形表示エリアＶＡ２０１とズーム波形表示エリアＶＡ２０２とは、ズーム率およびズーム位置の間に相関関係が働き、特にズームの位置に関しては、例えばズーム波形表示エリアＶＡ２０１の位置を変更してズーム波形表示エリアＶＡ２０２の外に出てしまうという問題点が容易に考えられる。
しかし、本実施例のような構成とした結果、第２の拡大表示制御手段が、第１の拡大表示画面上のフォーカスの位置（ズームの位置）が時間軸または振幅方向に移動すると、移動した後にフォーカスされた周期部分を第２の拡大表示画面に拡大表示する（言い換えれば「親」画面（第１の拡大表示画面）におけるズーム表示の位置が変更された場合、それに合わせて「子」画面（第２の拡大表示画面）となるズーム表示の表示位置も変更される機能を有する）ことにより、この問題点について解決でき、ユーザーによる波形解析における操作をより簡単に行うことが可能となる。
【００８２】
＜第３の実施例＞
また、本発明に係る波形測定装置は、上述の＜第２の実施例＞の構成、機能に加えて、第１の拡大表示制御手段が全体波形上のフォーカスの位置が時間軸または振幅方向に移動すると、これにあわせて第１の拡大表示画面における表示位置を時間軸または振幅方向に移動させて、移動した後にフォーカスされた周期部分を第２の拡大表示画面に拡大表示するものであってもよい。
【００８３】
具体的には、ズーム・イン・ズーム機能を実現するにあたり、例えばメイン波形表示エリアＶＡ２００におけるズームボックスが移動することにより、ズームの位置がズーム波形表示エリアＶＡ２０１の外に出てしまうという問題点が考えられる。
しかし、本実施例のような構成とした結果、第１の拡大表示制御手段は、全体波形上のフォーカスの位置が時間軸または振幅方向に移動すると、これにあわせて第１の拡大表示画面における表示位置を時間軸または振幅方向に移動させ、第２の拡大表示制御手段は、第１の拡大表示画面で拡大表示された波形上にフォーカスをあてる部分をズームボックスで表示するとともにそのズームボックス内の波形を同一画面内にさらに拡大表示することにより、上述の問題点について解決でき、ユーザーによる波形解析における操作をより簡単に行うことが可能となる。
【００８４】
＜第４の実施例＞
また、本発明に係る波形測定装置は、上述の＜第１の実施例＞〜＜第３の実施例＞の少なくともいずれかの構成、機能に加えて、表示中のズーム波形表示エリアを制御パネル等の操作手段６での設定に従い自動的にズーム位置を第１、第２の拡大表示画面一定方向に移動していくオートスクロール手段７４を備えるものでもよい。なお従来はこの機能はズーム波形表示エリアＶＡ２０１、ズーム波形表示エリアＶＡ２０２それぞれどちらか一方のみ操作ができていた。
【００８５】
ここで、オートスクロール手段７４は、第１の拡大表示画面におけるフォーカスの位置（ズームの位置）を予め定められた速度で時間軸方向に移動させるとともに第２の拡大表示画面の波形表示を時間軸方向に移動させつつ第１の拡大表示画面でフォーカスがあてられた周期部分を第２の拡大表示画面にズーム表示を行うものである。
【００８６】
さらに、オートスクロール手段７４は、第１の拡大表示画面におけるフォーカスの位置（ズームの位置）が第１の拡大表示画面における時間軸上の予め定められた位置に達したときは、全体波形上のフォーカスの位置（ズームの位置）を時間軸方向に移動するとともにこれにあわせて第１の拡大表示画面の表示位置を時間軸方向に移動させ、かつ、第１の拡大表示画面におけるフォーカスの位置を第１の拡大表示画面の時間軸の予め定められた位置に移動させて再びフォーカスの位置を予め定められた速度で時間軸方向に移動させるものである。これらの動作をオートスクロールという。
【００８７】
図４は、本発明の波形測定装置のオートスクロール手段７４による動作説明図である。図４において、オートスクロール手段７４は、ズーム波形表示エリアＶＡ２０１のズーム位置を画面右方向または左方向に向かってズーム位置を設定したスピードに従い移動させる。
【００８８】
このときズーム波形表示エリアＶＡ２０１に表示される波形データは、左から右または右から左に向かってスクロールして表示される。
オートスクロール手段７４は、ズーム・イン・ズーム機能を使用中には、ズーム波形表示エリアＶＡ２０２をズーム波形表示エリアＶＡ２０１内でスクロールさせ、ズーム波形表示エリアＶＡ２０１の終わりの位置までズーム波形表示エリアＶＡ２０２のズーム位置が来たら、ズーム波形表示エリアＶＡ２０２のズーム位置が連続するようにズーム波形表示エリアＶＡ２０１のズーム位置をスクロール方向に移動させて、スクロールを行う。
【００８９】
また、オートスクロール手段７４は、第１の拡大表示画面におけるフォーカスの位置が時間軸の終端と接する側縁に達したときは、全体波形上のフォーカスの位置をフォーカスしていた略時間幅だけ時間軸方向に移動するとともにこれにあわせて第１の拡大表示画面の表示位置を拡大表示していた略時間幅だけ時間軸方向に移動させ、かつ、第１の拡大表示画面におけるフォーカスの位置を第１の拡大表示画面の時間軸の始端が接する側縁に移動させるものでもよい。
【００９０】
この結果、本発明の波形測定装置は、オートスクロール手段７４が、第１の拡大表示画面におけるフォーカスの位置を予め定められた速度で時間軸方向に移動させ、このフォーカスの位置が第１の拡大表示画面における時間軸上の予め定められた位置に達したときは、全体波形上のフォーカスの位置を時間軸方向に移動するとともにこれにあわせて第１の拡大表示画面の表示位置を時間軸方向に移動させ、かつ、第１の拡大表示画面におけるフォーカスの位置を第１の拡大表示画面の時間軸の予め定められた位置に移動させて再びフォーカスの位置を予め定められた速度で時間軸方向に移動させることにより、複数周期波形の測定解析表示についてのユーザーの操作性を向上させ、波形表示の解析を容易にすることができる。
言い換えれば、オートスクロール手段７４が、表示機能を使用中にオートスクロールを行った場合、「子」画面（第１の拡大表示画面または第２の拡大表示画面）におけるズーム表示位置と「親」画面（全体表示画面または第１の拡大表示画面）における表示位置とが連携して表示することにより、複数周期波形の測定解析表示についてのユーザーの操作性を向上させ、波形表示の解析を容易にすることができる。
【符号の説明】
【００９１】
７  演算制御部
７１  表示制御手段
７２  第１の拡大表示制御手段
７３  第２の拡大表示制御手段
７４  オートスクロール手段
１００  波形測定装置
【図１】
2011174801.tif 000003
【図２】
2011174801.tif 000004
【図３】
2011174801.tif 000005
【図４】
2011174801.tif 000006
【図５】
2011174801.tif 000007
【図６】
2011174801.tif 000008